(57)【要約】  【課題】カップ式自動販売機の製氷機に関して、離氷の際の氷の形の崩れを防止する。  【解決手段】冷却された製氷皿に水を噴射し製氷を行う製氷装置において、製氷完了後に製氷皿に熱を加えるヒータ３と、ヒータ３が動作して停止するまで、及び停止してから動作するまでの所定時間記憶手段４により記憶している所定時間を計数する時間カウント手段２と、製氷部６の温度を検知する製氷部温度検知手段５と、製氷部温度検知手段５により検知した製氷部６の温度を記憶する製氷部温度記憶手段７にて接続された演算制御部１２ａを備え、所定時間記憶手段４により記憶した所定時間が経過するまでヒータ３を動作させ、停止させてから再度所定時間記憶手段４により記憶している所定時間が経過するまでヒータ３を停止させ、製氷部温度記憶手段７に製氷部６の温度を記憶させ、前回記憶したヒータ３が停止した時の製氷部６の温度と所定温度差以上になったかを判定する。【選択図】図１
2005331144.tif 000002
【特許請求の範囲】
【請求項１】
冷却された製氷皿に製氷水を噴射し製氷を行う製氷装置において、製氷完了後に製氷皿に熱を加えるヒータと熱を加える時間をカウントする時間カウント手段と製氷部の温度を検知する製氷部温度検知手段と、前記ヒータと前記時間カウント手段と前記製氷部温度検知手段にて接続された演算制御部を備え、前記演算制御部は前記時間カウント手段にて一定時間毎に製氷皿の加熱を繰り返し、前記製氷部温度検知手段にて計測した前回加熱した製氷部の温度と、今回加熱した製氷部の温度が一定の温度差以上になるまで加熱を繰り返すことを特徴とした製氷機の制御装置。
【請求項２】
所定温度を記憶しているヒータ連続加熱停止温度記憶手段を備え、前記製氷部温度検知手段により検知した温度が前記ヒータ連続加熱停止温度記憶手段により記憶している所定温度になるまで前記ヒータにより加熱することを特徴とした請求項１に記載の製氷機の制御装置。
【請求項３】
オペレータが氷の大きさのレベルを設定できる温度補正手段を備え、前記演算制御部は、前記温度補正手段のデータを基に、前記ヒータ連続加熱停止温度記憶手段に記憶している所定温度を補正し、前記ヒータ連続加熱停止温度記憶手段に記憶する請求項２に記載の製氷機の制御装置。
【請求項４】
オペレータが氷の大きさのレベルを設定できる時間補正手段を備え、前記演算制御部は、前記時間補正手段のデータを基に、前記時間カウント手段にてカウントを行う所定時間を補正する請求項１に記載の製氷機の制御装置。
【請求項５】
外気温度を検知する外気温検知手段を備え、前記演算制御部は、前記外気温検知手段が外気温度を検知することで、前記ヒータ連続加熱停止温度記憶手段に記憶している所定温度を更に補正し、前記ヒータ連続加熱停止温度記憶手段に記憶する請求項３に記載の製氷機の制御装置。
【請求項６】
外気温度を検知する外気温検知手段を備え、前記演算制御部は、前記外気温検知手段が外気温度を検知することで、前記時間カウント手段にてカウントを行う所定時間を更に補正する請求項４に記載の製氷機の制御装置。
【発明の詳細な説明】
【技術分野】
【０００１】
本発明は、製氷機の制御装置に関するものである。
【背景技術】
【０００２】
従来の自動販売機における製氷機の制御装置には、セル式と称される製氷機ついて開示したもの（例えば、特許文献１参照）がある。
【特許文献１】実開平５−５２６７２号公報
【発明の開示】
【発明が解決しようとする課題】
【０００３】
しかしながら、前記従来の構成では、離氷の際、所定温度になるまで製氷皿を加熱しており、すぐに所定温度に達しなかった場合、氷の形が崩れてしまうという課題を有していたので、製氷完了後に一定時間毎に製氷皿を加熱し、加熱前後の温度差が一定の温度差以上になるまで加熱及び停止を繰り返し、製氷皿と氷と密着していた氷表面全体が融けたと判断することで、氷の形を崩すことなく氷を提供することできる製氷機の制御装置を提供することを目的としている。
【課題を解決するための手段】
【０００４】
前記従来の課題を解決するために、本発明の製氷機の制御装置は、製氷完了後に一定時間毎に製氷皿を加熱し、加熱前後の温度差が一定の温度差以上になるまで加熱及び停止を繰り返すものである。
【発明の効果】
【０００５】
本発明の製氷機の制御装置は、氷の形を崩すことなく、氷を提供することが出来る。
【発明を実施するための最良の形態】
【０００６】
請求項１に記載の発明は、冷却された製氷皿に製氷水を噴射し製氷を行う製氷装置において、製氷部の温度を検知する製氷部温度検知手段と、前記製氷皿の加熱を行うヒータと、前記ヒータが停止した時の製氷部の温度を記憶する製氷部温度記憶手段と、前記ヒータを動作させ停止させるまでの時間及び前記ヒータを停止させ動作させるまでの時間をカウントする時間を記憶している所定時間記憶手段と、前記所定時間記憶手段に記憶している時間をカウントするカウント手段と、前記ヒータと前記製氷部温度記憶手段と前記時間カウント手段と前記所定時間記憶手段に接続された演算制御部とからなる。
【０００７】
前記演算制御部は、前記時間カウント手段により前記所定時間記憶手段に記憶している所定時間のカウントを行い、所定時間が経過していない場合にはヒータを動作させ、前記時間カウント手段にて所定時間が経過した場合には、前記ヒータを停止させ、前記時間カウント手段により前記所定時間記憶手段に記憶している所定時間のカウントを行い、所定時間が経過していない場合にはヒータを停止し続け、前記時間カウント手段にて所定時間が経過した場合には、前記製氷部温度記憶手段により前回記憶した製氷部の温度と前記製氷部温度検知手段により検知している温度が所定温度差になったかを判定し、所定温度差になるまで所定時間毎に前記ヒータの動作と停止を繰り返すことで、氷の形を崩すことなく、氷を提供することができる。
【０００８】
請求項２に記載の発明は、請求項１に記載の発明に、所定温度を記憶しているヒータ連続加熱停止温度記憶手段を備え、前記演算制御部はヒータを動作させ、前記製氷部温度検知手段により検知した温度が前記ヒータ連続加熱停止温度記憶手段により記憶している所定温度と比較し、所定温度になるまで前記ヒータを連続動作させることで、離氷開始時の氷と製氷皿が密着した状態を融け始める状態にするまでの時間を短縮し、氷の形を崩すことなく、離氷時間の短縮を図ることができる。
【０００９】
請求項３に記載の発明は、請求項２に記載の発明に、オペレータが氷の大きさのレベルを設定できる温度補正手段を備え、前記演算制御部は、前記温度補正手段のデータを基に、前記ヒータ連続加熱停止温度記憶手段に記憶している所定温度を補正することで、オペレータの好みに応じた氷を提供することができる。
【００１０】
請求項４に記載の発明は、請求項１の発明に、オペレータが氷の大きさのレベルを設定できる時間補正手段を備え、前記演算制御部は、前記時間補正手段のデータを基に、前記所定時間記憶手段にて記憶している所定時間を補正することで、オペレータの好みに応じた氷を提供することができる。
【００１１】
請求項５に記載の発明は、請求項３の発明に、外気温度を検知する外気温検知手段を備え、前記演算制御部は、前記外気温検知手段が外気温度を検知することで、所定温度を補正することで、外気温度の影響を受けることなく、オペレータの好みに応じた氷を提供することができる。
【００１２】
請求項６に記載の発明は、請求項４の発明に、外気温度を検知する外気温検知手段を備え、前記演算制御部は、前記外気温検知手段が外気温度を検知することで、前記所定時間記憶手段にて記憶している所定時間を補正することで、外気温度の影響を受けることなく、オペレータの好みに応じた氷を提供することができる。
【００１３】
（実施の形態１）
図１は本発明の実施の形態１による製氷機の制御装置の機能ブロック図である。図２は、同実施の形態の動作を示すフローチャートである。図１において、主制御部１は製氷機全体を制御する。時間カウント手段２はヒータ３が動作して停止するまで、及び停止してから動作するまでの所定時間記憶手段４により記憶している所定時間を計数する。製氷部温度検知手段５は製氷部６の温度を検知する。製氷部温度記憶手段７は前記製氷部温度検知手段５により検知した製氷部６の温度を記憶する。演算制御部１２ａは前記所定時間記憶手段４により記憶している所定時間が経過するまで前記ヒータ３を動作させ、停止させてから再度前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００１４】
以上のように構成された製氷機の制御装置について、以下その動作を説明する。
【００１５】
演算制御部１２ａは時間カウント手段２にて所定時間記憶手段４により記憶している所定時間を経過したかどうかを判別し、所定時間が経過していなければヒータ３を動作させ、所定時間が経過していれば、ヒータ３を停止させる（ＳＴＥＰ１）。次に時間カウント手段２にて所定時間記憶手段４により記憶している所定時間が経過したかどうかを判別し、所定時間が経過していなければヒータ３を停止させ、経過していれば、製氷部温度記憶手段７に製氷部温度検知手段５にて検知した製氷部６の温度を記憶させ（ＳＴＥＰ２）、前回記憶した製氷部６の温度の温度と所定温度差以上になったかを判別し、所定温度差未満であればＳＴＥＰ１に戻る。所定温度差以上であれば、上記制御を終了する。（ＳＴＥＰ３）。
【００１６】
以上のように本実施の形態の製氷機の制御装置によれば、一定時間毎にヒータを動作及び停止を行い、水は氷よりも熱が伝わり易いという特性から、製氷部の温度が前回記憶した製氷部の温度と所定温度差以上になることで、製氷皿と氷の接触面の氷が溶けて水となり、製氷皿と氷の接触面が溶け、徐々にヒータの熱を伝えることで氷の形を崩さずに氷を提供することができる。
【００１７】
（実施の形態２）
図３は本発明の実施の形態２による製氷機の制御装置の機能ブロック図である。図４は、同実施の形態の動作を示すフローチャートである。図３において、主制御部１は製氷機全体を制御する。時間カウント手段２はヒータ３が動作してから停止するまで、及び停止してから動作するまでの所定時間記憶手段４により記憶している所定時間を計数する。製氷部温度検知手段５は製氷部６の温度を検知する。製氷部温度記憶手段７は前記製氷部温度検知手段５により検知した製氷部６の温度を記憶する。ヒータ連続加熱停止温度記憶手段８は前記ヒータ３の熱により氷表面が融け始める温度を記憶している。演算制御部１２ｂは製氷部温度検知手段５にて検知した温度が前記ヒータ連続加熱停止温度記憶手段８にて記憶している所定温度以上になるまでヒータ３を動作させ、前記ヒータ３を停止させた後、前記所定時間記憶手段４により記憶している所定時間が経過するまで前記ヒータ３を停止させ、前記製氷部温度記憶手段７に製氷部６の温度を記憶させる。次に前記所定時間記憶手段４により記憶している所定時間が経過するまで前記ヒータ３を動作させ、再度前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００１８】
以上のように構成された製氷機の制御装置について、以下その動作を説明する。
【００１９】
演算制御部１２ｂは製氷部温度検知手段５にて検知した製氷部６の温度がヒータ連続加熱停止温度記憶手段８にて記憶している所定温度以上になったかを判別し、所定温度未満であればヒータ３を動作させる（ＳＴＥＰ１）。所定温度以上であれば、時間カウント手段２にて所定時間記憶手段４により記憶している所定時間が経過したかどうかを判別し、所定時間が経過していなければヒータ３を停止させ、経過していれば、製氷部温度記憶手段７に製氷部温度検知手段５にて検知した製氷部６の温度を記憶させる（ＳＴＥＰ２）。次に時間カウント手段２にて所定時間記憶手段４により記憶している所定時間を経過したかどうかを判別し、所定時間が経過していなければヒータ３を動作させ、所定時間が経過していれば、ヒータ３を停止させる（ＳＴＥＰ３）。
【００２０】
次に時間カウント手段２にて所定時間記憶手段４により記憶している所定時間が経過したかどうかを判別し、所定時間が経過していなければヒータ３を動作させ、経過していれば、ヒータ３を停止させ、製氷部温度記憶手段７に製氷部温度検知手段５にて検知した製氷部６の温度を記憶させ（ＳＴＥＰ４）、前回記憶した製氷部６の温度と所定温度差以上になったかを判別し、所定温度差未満であればＳＴＥＰ３に戻る。所定温度差以上であれば、上記制御を終了する。（ＳＴＥＰ５）。
【００２１】
以上のように本実施の形態の製氷機の制御装置によれば、ヒータを所定温度になるまで連続動作させ、短時間で氷表面が溶け始める状態にすることで離氷時間の短縮を図ることができる。そして、製氷部の温度が前回記憶した製氷部の温度と所定温度差以上になるまで一定時間毎にヒータを動作及び停止を繰り返し、徐々にヒータの熱を製氷皿に伝えることで、氷の形を崩すことなく氷を提供することができる。
【００２２】
（実施の形態３）
図５は本発明の実施の形態３による製氷機の制御装置の機能ブロック図である。図６は、同実施の形態の動作を示すフローチャートである。図５において、主制御部１は製氷機全体を制御する。時間カウント手段２はヒータ３が動作してから停止するまで、及び停止してから動作するまでの所定時間記憶手段４により記憶している所定時間を計数する。製氷部温度検知手段５は製氷部６の温度を検知する。製氷部温度記憶手段７は前記製氷部温度検知手段５により検知した製氷部６の温度を記憶する。ヒータ連続加熱停止温度記憶手段８は前記ヒータ３の熱により氷表面が融け始める温度を記憶している。温度補正手段９はオペレータにより設定された氷の大きさのレベルデータを記憶している。演算制御部１２ｃは前記温度補正手段９のデータを基に、前記ヒータ連続加熱停止温度記憶手段８に記憶している所定温度を補正し、前記製氷部温度検知手段５にて検知した温度が補正した温度以上になるまでヒータ動作をさせ、前記ヒータ３を停止させた後、前記所定時間記憶手段４により記憶している所定時間が経過するまで前記ヒータ３を停止させ、前記製氷部温度記憶手段７に製氷部６の温度を記憶させる。次に前記所定時間記憶手段４により記憶している所定時間が経過するまで前記ヒータ３を動作させ、前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００２３】
以上のように構成された製氷機の制御装置について、以下その動作を説明する。
【００２４】
演算制御部１２ｃはヒータ連続加熱停止温度記憶手段８にて記憶している所定温度を温度補正手段９によるレベル設定のデータに応じて補正を行う（ＳＴＥＰ１）。次に製氷部温度検知手段５にて検知した製氷部６の温度がヒータ連続加熱停止温度記憶手段８にて記憶している所定温度以上になったかを判別し、所定温度未満であればヒータ３を動作させる（ＳＴＥＰ２）。
【００２５】
所定温度以上であれば、時間カウント手段２にて所定時間記憶手段４により記憶している所定時間が経過したかどうかを判別し、所定時間が経過していなければヒータ３を停止させ、経過していれば、製氷部温度記憶手段７に製氷部温度検知手段５にて検知した製氷部６の温度を記憶させる（ＳＴＥＰ３）。次に時間カウント手段２にて所定時間記憶手段４により記憶している所定時間を経過したかどうかを判別し、所定時間が経過していなければヒータ３を動作させ、所定時間が経過していれば、ヒータ３を停止させる（ＳＴＥＰ４）。
【００２６】
次に時間カウント手段２にて所定時間記憶手段４により記憶している所定時間が経過したかどうかを判別し、所定時間が経過していなければヒータ３を動作させ、経過していれば、ヒータ３を停止させ、製氷部温度記憶手段７に製氷部温度検知手段５にて検知した製氷部６の温度を記憶させ（ＳＴＥＰ５）、前回記憶した製氷部６の温度と所定温度差以上になったかを判別し、所定温度差未満であればＳＴＥＰ４に戻る。所定温度差以上であれば、上記制御を終了する（ＳＴＥＰ６）。
【００２７】
以上のように本実施の形態の製氷機の制御装置によれば、オペレータが氷の大きさのレベルを設定できる温度補正手段を備え、前記演算制御部は、前記温度補正手段のデータを基に、氷が融け始める状態時の製氷部温度をレベルデータに応じ補正し、前記ヒータ連続加熱停止温度記憶手段に記憶することで、オペレータの好みに応じた大きさの氷を提供することができる。
【００２８】
（実施の形態４）
図７は本発明の実施の形態４による製氷機の制御装置の機能ブロック図である。図８は、同実施の形態の動作を示すフローチャートである。図７において、主制御部１は製氷機全体を制御する。時間カウント手段２はヒータ３が動作させてから停止させるまで、及び停止させてから動作させるまでの所定時間記憶手段４により記憶している所定時間を計数する。製氷部温度検知手段５は製氷部６の温度を検知する。製氷部温度記憶手段７は前記製氷部温度検知手段５により検知した製氷部６の温度を記憶する。時間補正手段１０は氷の大きさのレベルデータを記憶している。
【００２９】
演算制御部１２ｄは前記時間補正手段１０のデータを基に、前記所定時間記憶手段４により記憶している所定時間を補正し、前記所定時間記憶手段４により記憶している所定時間が経過するまで前記ヒータ３を動作させ、停止させてから再度前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００３０】
以上のように構成された製氷機の制御装置について、以下その動作を説明する。
【００３１】
演算制御部１２ｄは所定時間記憶手段４にて記憶している所定時間を時間補正手段１０によるレベル設定のデータに応じて補正を行う（ＳＴＥＰ１）。演算制御部１２ａは時間カウント手段２にて所定時間記憶手段４により記憶している所定時間を経過したかどうかを判別し、所定時間が経過していなければヒータ３を動作させ、所定時間が経過していれば、ヒータ３を停止させる（ＳＴＥＰ２）。次に時間カウント手段２にて所定時間記憶手段４により記憶している所定時間が経過したかどうかを判別し、所定時間が経過していなければヒータ３を停止させ、経過していれば、製氷部温度記憶手段７に製氷部温度検知手段５にて検知した製氷部６の温度を記憶させ（ＳＴＥＰ３）、前回記憶した製氷部６の温度の温度と所定温度差以上になったかを判別し、所定温度差未満であればＳＴＥＰ１に戻る。所定温度差以上であれば、上記制御を終了する。（ＳＴＥＰ４）。
【００３２】
以上のように本実施の形態の製氷機の制御装置によれば、オペレータが氷の大きさのレベルを設定できる温度補正手段を備え、前記演算制御部は、前記温度補正手段のデータを基に、氷が融け始める状態時の製氷部温度をレベルデータに応じ補正し、前記ヒータ連続加熱停止温度記憶手段に記憶することで、オペレータの好みに応じた大きさの氷を提供することができる。
【００３３】
（実施の形態５）
図９は本発明の実施の形態５による製氷機の制御装置の機能ブロック図である。図１０は、同実施の形態の動作を示すフローチャートである。図９において、主制御部１は製氷機全体を制御する。時間カウント手段２は所定時間記憶手段４により記憶しているヒータ３が動作させてから停止させるまで、及び停止させてから動作させるまでの所定時間を計数する。製氷部温度検知手段５は製氷部６の温度を検知する。製氷部温度記憶手段７は前記製氷部温度検知手段５により検知した製氷部６の温度を記憶する。
【００３４】
ヒータ連続加熱停止温度記憶手段８は前記ヒータ３の熱により氷表面が融け始める温度を記憶している。温度補正手段９はオペレータにより設定された氷の大きさのレベルデータを記憶している。演算制御部１２ｅは前記温度補正手段９のデータを基に、前記ヒータ連続加熱停止温度記憶手段８により記憶している所定温度を補正し、外気温度の検知を行う外気温検知手段１１にて検知した外気温度データを基に、ヒータ連続加熱停止温度記憶手段８にて記憶している所定温度を更に補正し、前記製氷部温度検知手段５にて検知した温度が補正した温度以上になるまでヒータ動作をさせ、前記ヒータ３を停止させた後、前記所定時間記憶手段４により記憶している所定時間が経過するまで前記ヒータ３を停止させ、前記製氷部温度記憶手段７に製氷部６の温度を記憶させる。
【００３５】
次に前記所定時間記憶手段４により記憶している所定時間が経過するまで前記ヒータ３を動作させ、前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００３６】
以上のように構成された製氷機の制御装置について、以下その動作を説明する。
【００３７】
演算制御部１２ｃはヒータ連続加熱停止温度記憶手段８にて記憶している所定温度を温度補正手段９によるレベル設定のデータに応じて補正を行い（ＳＴＥＰ１）、次に外気温検知手段１２にて外気温度を検知し、外気温度の値に応じてヒータ連続加熱停止温度記憶手段８にて記憶している所定温度の補正を更に行う（ＳＴＥＰ２）。
【００３８】
次に製氷部温度検知手段５にて検知した製氷部６の温度がヒータ連続加熱停止温度記憶手段８にて記憶している所定温度以上になったかを判別し、所定温度未満であればヒータ３を動作させる（ＳＴＥＰ３）。所定温度以上であれば、ヒータ３を停止し、時間カウント手段２にて所定時間記憶手段４により記憶している所定時間が経過したかどうかを判別し、所定時間が経過していなければヒータ３を停止させる（ＳＴＥＰ４）。経過していれば、製氷部温度記憶手段７に製氷部温度検知手段５にて検知した製氷部６の温度を記憶させる（ＳＴＥＰ５）。
【００３９】
次に時間カウント手段２にて所定時間記憶手段４により記憶している所定時間を経過したかどうかを判別し、所定時間が経過していなければヒータ３を動作させ、所定時間が経過していれば、ヒータ３を停止させる（ＳＴＥＰ６）。次に時間カウント手段２にて所定時間記憶手段４により記憶している所定時間が経過したかどうかを判別し、所定時間が経過していなければヒータ３を動作させ、経過していれば、ヒータ３を停止させ、製氷部温度記憶手段７に製氷部温度検知手段５にて検知した製氷部６の温度を記憶させ（ＳＴＥＰ７）、前回記憶した製氷部６の温度と所定温度差以上になったかを判別し、所定温度差未満であればＳＴＥＰ２に戻る。所定温度差以上であれば、上記制御を終了する。（ＳＴＥＰ８）。
【００４０】
以上のように本実施の形態の製氷機の制御装置によれば、オペレータが氷の大きさのレベルを設定できる温度補正手段を備え、前記演算制御部は、前記温度補正手段のデータを基に、氷が融け始める状態時の製氷部の温度をレベルデータに応じ補正し、更に外気温度検知手段により検知した外気温度に応じた値を更に補正し、前記ヒータ連続加熱停止温度記憶手段に記憶することで、オペレータの好みに応じた大きさの氷を外気温度の影響を受けることなく提供することができる。
【００４１】
（実施の形態６）
図１１は本発明の実施の形態６による製氷機の制御装置の機能ブロック図である。図１２は、同実施の形態の動作を示すフローチャートである。図１１において、主制御部１は製氷機全体を制御する。時間カウント手段２は所定時間記憶手段４により記憶しているヒータ３が動作させてから停止させるまでの時間及び停止させてから動作させるまでの所定時間を計数する。製氷部温度検知手段５は製氷部６の温度を検知する。
【００４２】
製氷部温度記憶手段７は前記製氷部温度検知手段５により検知した製氷部６の温度を記憶する。演算制御部１２ｆは氷の大きさのレベルデータを設定する時間補正手段１０のデータを基に、前記所定時間記憶手段４により記憶している所定時間を補正し、外気温度の検知を行う外気温検知手段１１にて検知した外気温度データを基に、所定時間記憶手段４により記憶している所定時間を更に補正し、前記時間補正手段１０のデータを基に、前記所定時間記憶手段４により記憶している所定時間を補正し、前記所定時間記憶手段４により記憶している所定時間が経過するまで前記ヒータ３を動作させ、停止させてから再度前記所定時間記憶手段４により記憶している所定時間が経過するまで前記ヒータ３を停止させ、前記製氷部温度記憶手段７に製氷部６の温度を記憶させ、前回記憶した温度と所定温度差以上になったか判定する。
【００４３】
以上のように構成された製氷機の制御装置について、以下その動作を説明する。
【００４４】
演算制御部１２ｃは所定時間記憶手段４により記憶している所定時間を時間補正手段１０によるレベル設定のデータに応じて補正を行い（ＳＴＥＰ１）、次に外気温検知手段１２にて外気温度を検知し、外気温度の値に応じて所定時間記憶手段４により記憶している所定時間の補正を更に行う（ＳＴＥＰ２）。
【００４５】
次に時間カウント手段２にて所定時間記憶手段４により記憶している補正した所定時間を経過したかどうかを判別し、所定時間が経過していなければヒータ３を動作させ、所定時間が経過していれば、ヒータ３を停止させる（ＳＴＥＰ３）。次に時間カウント手段２にて所定時間記憶手段４により記憶している所定時間が経過したかどうかを判別し、所定時間が経過していなければヒータ３を停止させ、経過していれば、製氷部温度記憶手段７に製氷部温度検知手段５にて検知した製氷部６の温度を記憶させ（ＳＴＥＰ４）、前回記憶した製氷部６の温度の温度と所定温度差以上になったかを判別し、所定温度差未満であればＳＴＥＰ１に戻る。所定温度差以上であれば、上記制御を終了する（ＳＴＥＰ５）。
【００４６】
以上のように本実施の形態の製氷機の制御装置によれば、オペレータが氷の大きさのレベルを設定できる温度補正手段を備え、前記演算制御部は、前記温度補正手段のデータを基に、氷が融け始める状態時の製氷部の温度をレベルデータに応じ補正し、更に外気温度検知手段により検知した外気温度に応じた値を更に補正し、前記ヒータ連続加熱停止温度記憶手段に記憶することで、オペレータの好みに応じた大きさの氷を外気温度の影響を受けることなく提供することができる。
【産業上の利用可能性】
【００４７】
本発明にかかる製氷機の制御装置は、氷の形を崩すことなく、氷を提供することが出来、製氷機および製氷機を備えた冷却機器に幅広く適用できる。
【図面の簡単な説明】
【００４８】
【図１】本発明による製氷機の制御装置の実施の形態１の機能ブロック図
【図２】同実施の形態による製氷機の制御装置の動作を示すフローチャート
【図３】本発明による製氷機の制御装置の実施の形態２の機能ブロック図
【図４】同実施の形態による製氷機の制御装置の動作を示すフローチャート
【図５】本発明による製氷機の制御装置の実施の形態３の機能ブロック図
【図６】同実施の形態による製氷機の制御装置の動作を示すフローチャート
【図７】本発明による製氷機の制御装置の実施の形態４の機能ブロック図
【図８】同実施の形態による製氷機の制御装置の動作を示すフローチャート
【図９】本発明による製氷機の制御装置の実施の形態５の機能ブロック図
【図１０】同実施の形態による製氷機の制御装置の動作を示すフローチャート
【図１１】本発明による製氷機の制御装置の実施の形態６の機能ブロック図
【図１２】同実施の形態による製氷機の制御装置の動作を示すフローチャート
【符号の説明】
【００４９】
１    主制御部
２    時間カウント手段
３    所定時間記憶手段
４    ヒータ
５    製氷部温度検知手段
６    製氷部
７    製氷部温度記憶手段
８    ヒータ連続加熱停止温度記憶手段
９    温度補正手段
１０  時間補正手段
１１  外気温検知手段
１２ａ、１２ｂ、１２ｃ、１２ｄ、１２ｅ、１２ｆ  演算制御部
【図１】
2005331144.tif 000003
【図２】
2005331144.tif 000004
【図３】
2005331144.tif 000005
【図４】
2005331144.tif 000006
【図５】
2005331144.tif 000007
【図６】
2005331144.tif 000008
【図７】
2005331144.tif 000009
【図８】
2005331144.tif 000010
【図９】
2005331144.tif 000011
【図１０】
2005331144.tif 000012
【図１１】
2005331144.tif 000013
【図１２】
2005331144.tif 000014